(57)【要約】複数のデッキを有し、これらデッキのうち若干のデッキに沿って複数のステートルームを有するクルーズ船において、１つのデッキに沿って間隔を空けて配設した複数のステートルーム群と、前記１つのデッキの真上に位置する他のデッキに沿って互いに間隔を空けて配設した複数の第２ステートルーム群と、および船内内側に延在する２階分高さの天井を有する単独の中央廊下と、を有し、各複数の間隔を空けて配設したステートルームは、２階分高さの天井を有する中央廊下から分け入って互いに並置した１対のステートルームにいたる共用進入口を有し、中央廊下は、１つのデッキから他のデッキにわたって設けた透明なガラス窓で終端する。
2011500422.tif 000002
【特許請求の範囲】
【請求項１】
複数のデッキを有し、これらデッキのうち若干のデッキに沿って複数のステートルームを有するクルーズ船において、
前記複数のデッキにおける１つのデッキで互いに対向する両サイドに沿って、互いに間隔を空けて配設した複数のステートルーム群と、
前記１つのデッキの真上にある前記複数のデッキにおける他のデッキで、互いに対向する両サイドに沿って、互いに間隔を空けて配設した複数の第２ステートルーム群と、および
間隔を空けて配設した前記各ステートルーム群の船内内側に延びて存在する、２階分高さの天井を有する単独中央廊下であって、前記１つのデッキから前記他のデッキまで延びて存在する透過ガラス窓で終端する前記中央廊下と
を備えた、クルーズ船。
【請求項２】
請求項１記載のクルーズ船において、前記１つのデッキは、そのデッキにおける前記間隔を空けて配設したステートルーム群を相互連結するフロアを有し、前記フロアの上方における前記他のデッキは、この他のデッキ上で間隔を空けて配設した前記両サイドの前記第２ステートルーム群の船内内側おける、互いに間隔を空けて設けた１対のフロア部分と、前記他のデッキで第２ステートルーム群の船内内側における各フロア部分に沿って延びて存在するガラスパネルと、を有する、クルーズ船。
【請求項３】
請求項２記載のクルーズ船において、前記フロア部分を相互連結する複数の通路を設けた、クルーズ船。
【請求項４】
請求項１記載のクルーズ船において、前記デッキそれぞれで、互いに並置させた少なくとも１対のステートルームを設け、前記２階分高さの天井を有する単独中央廊下から分け入って前記並置する１対のステートルームにいたる共有通用口を設けた、クルーズ船。
【請求項５】
請求項４記載のクルーズ船において、前記１対のステートルームそれぞれには、ステートルーム内に続くドアを設けた、クルーズ船。
【請求項６】
請求項１記載のクルーズ船において、前記ステートルームの少なくとも１個は、内部フロアおよび第１天井部分を有し、居間エリアには、前記第１天井部分よりも高い第２天井部分を設けた、クルーズ船。
【請求項７】
請求項６記載のクルーズ船において、前記居間エリアはベランダに向けて開くものとした、クルーズ船。
【請求項８】
請求項１記載のクルーズ船において、前記ステートルームの少なくとも１個には、通常は施錠していない内部エリアを設け、利用者が前記内部エリア内にアクセスできるよう変更可能なコード入力を持つ組み合わせロックによって、前記内部エリアに対する施錠及び開錠の両方を行うようにした、クルーズ船。
【請求項９】
請求項１記載のクルーズ船において、前記通常は施錠されていない前記内部エリアを、クローゼットまたは金庫とした、クルーズ船。
【請求項１０】
請求項１記載のクルーズ船において、前記１つのデッキから離れている前記他のデッキにおけるフロアおよび天井を有するメインダイニングルームと、前記他のデッキの上にある前記メインダイニングルームの上方に位置する中２階エリアとを設け、前記メインダイニングルームは、前記中２階エリアを通過して前記天井まで上方に吹き抜けるようにし、また前記中２階エリアを通過して前記フロアから天井へと延びて前記メインダイニングルームを閉鎖する、フロア−天井間の透明ガラス窓を設けた、クルーズ船。
【請求項１１】
請求項１０記載のクルーズ船において、前記中２階エリアは、前記メインダイニングルームの上方に張り出す外端縁を有し、また前記外端縁に沿って延在するガラス間仕切りを設けた、クルーズ船。
【請求項１２】
請求項２記載のクルーズ船において、前記デッキのうち少なくとも一つは船外エリアを有し、前記船外エリアはクリスタル効果をもたらす複数の透明なクリスタル様のガラス区域により囲った、クルーズ船。
【請求項１３】
請求項１記載のクルーズ船において、複数の下方デッキおよび１つの上位デッキを設け、前記クルーズ船の中間ポイントで、前記下位デッキから前記上位デッキまでいたるグランド採光吹き抜けを設け、このグランド採光吹き抜けによりクルーズ船の乗客が下位デッキから前記上位デッキに行き来するとき、乗客に眺望エリアを生ずるようにした、クルーズ船。
【請求項１４】
請求項１３記載のクルーズ船において、少なくとも５つの下位デッキを設け、前記グランドアトリウム採光吹き抜けは５番目のデッキから前記上位デッキまで延在させた、クルーズ船。
【請求項１５】
請求項１３記載のクルーズ船において、前記グランドアトリウム採光吹き抜けは前記上位デッキにおける天窓で終端させた、クルーズ船。
【請求項１６】
請求項１５記載のクルーズ船において、前記上位デッキに前記天窓の下方でグランドアトリウム採光吹き抜けを囲う温室エリアを設けた、クルーズ船。
【請求項１７】
請求項１３記載のクルーズ船において、前記下位デッキから前記上位デッキに延在する少なくとも一つのプロムナードを設けた、クルーズ船。
【請求項１８】
請求項１３記載のクルーズ船において、前記下位デッキから前記上位デッキへの前記垂直プロムナードの両サイドに、前記垂直プロムナードに沿って１対の階段吹き抜けを設けた、クルーズ船。
【発明の詳細な説明】
【技術分野】
【０００１】
本出願は、２００７年１０月１７日出願の第１１／８７４１１４号の優先権を主張する。
【０００２】
本開示はクルーズ船に関し、特に、クルーズ船上で改善した船客快適設備（アメニティー）および望ましい区域を提供する、システムおよび方法に関する。
【背景技術】
【０００３】
近年、クルーズ船産業において多くの変化が起こった。新たなタイプのクルーズ船客（ベビーブーム世代）が現れた。この新世代の船客は、クルーズ船が提供しようとする、究極の豪華さに関心がある。
【発明の概要】
【発明が解決しようとする課題】
【０００４】
クルーズ船には、船上の様々なエリアに光が差し込む必要がある。このような改善した快適設備は、人々に開放的な空間、照明、遮るものがない眺望、という感覚を与えるステートルーム（船室）を含んでいる必要がある。クルーズ船を包む船外の光の感覚を、クルーズ船の船内に持ち込む。
【課題を解決するための手段】
【０００５】
これらおよび他の目的は、好適には、複数のデッキを有し、これらデッキのうち若干のデッキに沿って複数のステートルームを有するクルーズ船を提供することによって達成される。複数のステートルームを、デッキのうちの一つに沿って互いに間隔を置いて配設し、また第２の複数のステートルームを、一つのデッキの真上に存在する他のデッキに沿って互いに間隔を置いて配設する。
【０００６】
単独の中央廊下は、両サイドにおける複数の互いに離れたステートルームの船内内側に存在し、また単独の中央廊下は、一つのデッキから他方のデッキに延在して、２階分高さの天井を有する廊下を構成する、透明なガラス窓で終端する。
【０００７】
他の重要な特徴としては、２階分高さの天井を有する単独の中央廊下から分け入って、１対の互いに並置するステートルームに至る共用進入口、フロアから天井までのガラス窓付きの上方の中２階を有するメインダイニングエリア、ステートルーム内におけるウォークイン金庫またはウォークインクローゼットとして機能する施錠可能エリア、ロフト効果をもたらすステートルーム内の高い天井、およびクルーズ船外におけるクリスタル効果がある。その他の特徴としては、下位デッキから上位デッキまで延びて存在（延在）し、窓付き庭園エリアを有する天窓で終端するグランドアトリウム採光シャフト（吹き抜け）がある。垂直プロムナードを船体中央部に設け、上位デッキから下方デッキへの、階段吹き抜けを船首側及び船尾側に設ける必要性を排除する。
【０００８】
上述した本発明の特徴および目的は、添付図面につき説明する記載から明らかになるであろう。図面において、同一参照符号は、同一の要素を示す。
【図面の簡単な説明】
【０００９】
【図１】本発明によるクルーズ船の立面図であり、作図の便宜上、一部切除して示す。
【図２】本発明の教示による、単一の２階建て中央廊下に接続している２つのデッキにおける、互いに並置したステートルームの斜視図である。
【図３】図２に示す単一の２階建て中央廊下における上の階を示す斜視図である。
【図４】１対のステートルームのレイアウトを示す平面図である。
【図５】本発明の教示に従い、単一中央廊下から進入し、１対の互いに並置したステートルームに至る、共用進入口の斜視図である。
【図６】図５と類似し、互いに並置した各ステートルームに至るドア配置を示す説明図である。
【図７】１つのステートルーム内部の一部を示す斜視図である。
【図８】図７と類似し、１つのステートルームにおける、金庫またはクローゼットに至る、施錠可能なドアを示す斜視図である。
【図９】１つのステートルームにおける居間の斜視図である。
【図１０】図９に示すステートルームにおける居間および他の区域の立面図である。
【図１１】図１に示すクルーズ船における外側の一部を示す斜視図である。
【図１２】図１に示すクルーズ船におけるメインダイニングルームの斜視図である。
【図１３】図１２に示すダイニングルームの斜視図であり、上側の中２階区域を示す。
【図１４】本発明の教示による、グランドアトリウム採光井の斜視図である。
【図１５】本発明の教示による、垂直方向のプロムナードの斜視図である。
【発明を実施するための形態】
【００１０】
図面の図１につき説明すると、本発明によるクルーズ船１０を示し、従来既知のように複数のデッキ１１を見せるよう、一部切除して示す。
【００１１】
本発明で特別に意図するのは、多数の革新的な特徴をクルーズ船１０に盛り込むことである。従って、図２および図３で示すように、船１０の、１個またはそれ以上のデッキ１１（図１参照）は、１つのデッキに下階のフロア１２を有し、また上階デッキに互いに離れた上階のフロア区域１３、１４（図３も参照）有することができる。図２から分かるように、進入口１５は、後述するようにキャビン１６を互いに区分する。図２および図３を比較することによって分かるように、窓１７は、フロア１２からフロア区域１３，１４を通過して上方に延びて存在（延在）する。フロア１２の上方におけるデッキで、フロア区域１３，１４は、フロア１２とともに２階分高さの天井を有する単独中央廊下を構成し、フロア区域１３に沿って上方に位置する手摺り１８〜２０、およびフロア区域１４に沿って上方に位置する同様の手摺り２１〜２３を有する。通路２４をフロア区域１３，１４間で、図示のように、手摺り１８−２１、１９−２２、および２０−２３を連結する手摺り部分２５を設ける。
【００１２】
当然、適切な個数の手摺りおよび通路を設けることができる。しかし、ガラスのパネルまたは間仕切り２６を使用して、手摺り、手摺り部分、およびフロア区域１３、１４、にわたり延在させる。このことにより、とくに、下位デッキから上位デッキまで延びている窓１７と相まって、フロア区域および手摺りにより構成される、広々とした外観にし、したがって、その状況を２階分高さの天井を有する単独中央廊下  のような印象を与える。
【００１３】
次に図４につき説明すると、共用進入口１５が、２階分高さの天井を有する単独中央廊下から分け入って、ステートルーム（船室）、例えば、互いに並置したステートルーム２７、２８に達する。これらステートルームは基本的に同一であり、各ステートルームはそれぞれ個別の乗船客クライアントが占有する、または、例えば、プライバシーのために、一家族の一部がステートルーム２７に宿泊し、同一家族の他の一部がステートルーム２８に宿泊できるよう組み合わせることもできる。従って、各ステートルーム２７，２８は、２スイートそれぞれに開く、ドア３６，３７を有する。各スイートはバスルーム３０を有し、このバスルーム３０には、シンク３００、トイレ３０１、シャワー３０２、およびバスタブ３０３を並設する。ドア３０４はバスルーム３０を閉じ、鏡付き洗面台３０５をバスルーム３０とクローゼット３２との間に設け、このクローゼット３２は、１個または複数のベッド３０６および適切なナイトスタンド３０７，３０８、を有する寝室３１に通じている。居間３３は寝室３１に隣接して位置し、適切なイス３０８、長いす３０９、テーブル３１０、３４０、３１２、つりランプ４２２、等を有する。
【００１４】
ベランダ４２は、各スイートにおける各居間３３の外側に延在し、壁３１３により区分する。破線３１５は、後述するように、居間３３のロフトエリアが始まる位置を示す。
【００１５】
図５に示すように、扉２９は共用進入口１５の内部に向かって開き、この共用進入口１５は、例えば、台座３４および彫刻３５で趣向を凝らして装飾する。図６は、それぞれ、ステートルーム２７，２８を閉じる、入口ドア３６，３７を示す。
【００１６】
居間エリア３３を図９にも示し、ステートルームにおける他の部分における天井３９よりも高い天井３８を有する（さらに図１０も参照されたい）。天井３８から垂下する吊りランプ３１１は、ステートルームにおけるベランダ４２に通じている船外側で、高さ感および開放感の感覚を与える。
【００１７】
再度図１につき説明すると、クルーズ船１０は、その外側に、通常内側からは透明ガラスで閉鎖し、ガラスパネル４４（図１１参照）で被覆して、「クリスタル」視覚効果を与える、参照符号４３で示す部分を有する。この視覚効果を船１０全体にわたって持たせる。
【００１８】
図１２に示すように、クルーズ船２０は互いに離して配置した多数のテーブル４６および椅子４７を設けたメインダイニングルーム４５を有する。上側の２階４８にもまた、互いに離して配置したテーブル４６および椅子４７を設ける（図１３も参照されたい）。透過ガラスパネル４９を上側の中２階４８に沿って延在させる。図１２および１３に示すように、フロアから天井までの透明な透過ガラス窓５０は、船外環境から、ダイニングルーム４５および中２階４８の内部に対して、採光による明るさおよび開放性をもたらす。
【００１９】
再度図１につき説明すると、クルーズ船１０に搭乗する船客が、（例えば）第５デッキに乗り込み、本発明が特に意図するように、アトリウム採光井５１（図１４参照）を、第５デッキから上方に、頂部の庭園エリアを構成するガラスエンクロージャ５２まで延在させて設け、このガラスエンクロージャ５２は、船外から光を矢印５３で示すようにフロア間を下るよう取り入れる。間仕切り５４のような、透過ガラスの間仕切りを全体的に使用して、船客が矢印５３で示す、光がデッキのフロア間を下って導入される中間エリアの各サイドを歩くことができるようにする。
【００２０】
図１に示すように、中央に位置する１個または複数の垂直プロムナード５５（図１５参照）には、中央エリア５８の各サイドに階段吹き抜け５６，４７を設ける。各階段吹き抜け５６，５７の頂部における透明ガラス天井５９は上側デッキで開き、太陽光が内部へと階段吹き抜けに沿って下向きに差し込む。クルーズ船客は階段吹き抜け５６，５７の階段を昇り降りする時に、日光を浴びる。廊下６０，６１は階段吹き抜け５６，５７の外側に位置する。
【００２１】
再度図４につき説明すると、各スイート２７，２８における一方のエリア４００は、図７および８に示すように、客のための小さい金庫またはクローゼットになる。扉４０１はエリア４００に通じており、図８に示すように、扉４０１は、船客によって、客にしかわからない、任意の所望組み合わせでセットできる組み合わせロック４０２を有する。このように、船客はいかなる貴重品をも保管できるクローゼットまたは金庫を有する。
【００２２】
本発明によれば、優雅で、至るところに採光でき、最新の、広々としている、新規なタイプのクルーズ船を開示しているということがわかる。クルーズ船の船内環境により、船を包囲する光が船内に差し込む。透明な構造ガラスを至るところに使用し、明るく、秩序があり、そして静かな雰囲気をもたらす。
【００２３】
廊下
２階分高さの天井を有する単独中央廊下は、上階および下階の双方における透明な構造ガラスの間仕切り、およびフロア端部で上階および下階の双方にわたるフロアから天井までの窓を有する。このことにより、船外の光および雰囲気をクルーズ船内にもたらし、２階分高さの天井を有する中央廊下を、風通しのよい、開放的で、広々とした印象を与える。
【００２４】
ステートルーム
改善したステートルームは、２階分高さの天井を有するロフト的居住空間、フロアから天井までの窓、遮るものがない眺望という、特徴を有する。２つのステートルームに続く共用進入口は、プライバシーと相互連結ルームの実現性を提供する。２つの標準的なステートルームに続く共用進入口を使用することにより、従来型の、並置したステートルームに付加された空間によって、個別のシャワーおよびフルサイズのバスタブを有する、より大きなバスルームにすることが可能となる。
【００２５】
メインダイニングルーム
メインダイニングルームは、上側の中２階と、メインダイニングルームから中２階へと上方に延びている二階分の高さの窓を有する。代替的ダイニングレストランを板ガラスに囲まれた中２階に配置することができる。
【００２６】
グランドアトリウム採光吹き抜けおよび垂直プロムナード
グランドアトリウム５１は全面であり、頂部に天窓がある全高さにわたり、内部に温室を設けることができる。グランドアトリウム採光吹き抜けは、クルーズ船に乗り込んだ船客が、光が満ちていて、クルーズ船のクリアな眺望を有する、広々としたグランドアトリウム採光吹き抜けを体験できるように、デッキ５から上方へ延びている。船客には、船の中心から見える空の眺望が提供される。
【００２７】
更に、１個もしくは複数の垂直プロムナードを船体中央部に設け、したがって、船首および船尾の階段吹き抜けを設ける必要性を排除し、上位デッキから下方へと光が導かれる。
【００２８】
クローゼット金庫
ルーム内に小さい金庫を設ける代わりに、クローゼット全体を、船客は自らが指定した独自の数字またはアルファベットコードで施錠し、金庫として使用することができる。
【００２９】
クリスタル視覚効果
図１１に示す「クリスタル視覚効果」は、クルーズ船にクリスタル様の外観を添える。この外観は、船名、例えば「クリスタルハーモニー（登録商標）」に関連し、全体の見た目および開放的な環境効果を実現する。
【００３０】
装置および方法は、現在最も実際的かつ好適な実施例であると考慮されているという点から記載したが、本発明は開示された実施形態に限定する必要はないと理解すべきである。本発明は、特許請求の範囲の精神及び範囲を含む、様々な修正及び類似した構成に適用できることを意図する。そして、特許請求の範囲は全ての同種の修正及び類似した構造を含むよう、最も幅広い解釈を与えられなければならない。本明細書は、特許請求の範囲のうち任意なものおよび全ての実施形態を含む。
【図１】
2011500422.tif 000003
【図２】
2011500422.tif 000004
【図３】
2011500422.tif 000005
【図４】
2011500422.tif 000006
【図５】
2011500422.tif 000007
【図６】
2011500422.tif 000008
【図７】
2011500422.tif 000009
【図８】
2011500422.tif 000010
【図９】
2011500422.tif 000011
【図１０】
2011500422.tif 000012
【図１１】
2011500422.tif 000013
【図１２】
2011500422.tif 000014
【図１３】
2011500422.tif 000015
【図１４】
2011500422.tif 000016
【図１５】
2011500422.tif 000017
【国際調査報告】
2011500422.tif 000018
2011500422.tif 000019